(57)【特許請求の範囲】
【請求項１】
ネジに掛けるためのネジ受けを背面の短辺側及び長辺側に有し、一方の短辺側にケーブルを通すための開口部が設けられた直方体形状の筐体を備え、
前記ネジ受けは、前記筐体を水平かつ縦向きに設置面に設置したときの重心の鉛直線上、及び水平かつ横向きに設置面に設置したときの重心の鉛直線上に設けられており、
短辺側の前記ネジ受けは、前記開口部が設けられている短辺側とは反対側の短辺側にのみ設けられている
ことを特徴とするエネルギー計測装置。
【請求項２】
前記ネジ受けは三角形状を有し、
底部が大きく開口し、中央にはネジに掛けた際にネジと接触する支持部が形成されている
ことを特徴とする請求項１に記載のエネルギー計測装置。
【請求項３】
前記筐体は樹脂製であり、
前記筐体の側面の内側に溝が複数形成されている
ことを特徴とする請求項１または２に記載のエネルギー計測装置。
【請求項４】
前記筐体は、
少なくとも側面の一部を切り取ることができる
ことを特徴とする請求項３に記載のエネルギー計測装置。
【発明の詳細な説明】
【技術分野】
【０００１】
本発明は、背面に有するネジ受けを改良したエネルギー計測装置に関するものである。
【背景技術】
【０００２】
従来、壁面などの設置面に打ち込まれたネジに掛けて設置する機器筐体において、縦横自在に設置することができるものがある（例えば、特許文献１参照）。
【０００３】
特許文献１に記載の機器筐体は、四隅にネジ受けを有し、互いに水平となるように設置面に打ち込まれた二つのネジに上側の左右二箇所のネジ受けを掛けることによって縦向きまたは横向きに設置する。
【先行技術文献】
【特許文献】
【０００４】
【特許文献１】特開平９−４２２３６号公報
【発明の概要】
【発明が解決しようとする課題】
【０００５】
しかし、従来のこの種の機器筐体は、設置面に設置するためには二つのネジを互いに水平となるような位置に打ち込む必要があるため、ネジの打ち込みに手間と時間がかかり、また、打ち込み位置がずれ、二つのネジの位置が互いに水平でないと、筐体を水平に設置できないという課題があった。
【０００６】
本発明は、以上のような課題を解決するためになされたもので、設置面へのネジの打ち込みに手間と時間がかからず、本体を水平かつ縦横自在に設置することができるエネルギー計測装置を提供することを目的としている。
【課題を解決するための手段】
【０００７】
本発明に係るエネルギー計測装置は、ネジに掛けるためのネジ受けを背面の短辺側及び長辺側に有し、一方の短辺側にケーブルを通すための開口部が設けられた直方体形状の筐体を備え、前記ネジ受けは、前記筐体を水平かつ縦向きに設置面に設置したときの重心の鉛直線上、及び水平かつ横向きに設置面に設置したときの重心の鉛直線上に設けられており、短辺側の前記ネジ受けは、前記開口部が設けられている短辺側とは反対側の短辺側にのみ設けられているものである。
【発明の効果】
【０００８】
本発明に係るエネルギー計測装置によれば、水平かつ縦向きまたは横向きに設置面に設置したときの重心の鉛直線上にネジ受け（の支点）が形成されているため、設置面へのネジの打ちに手間と時間がかからず、また、水平かつ縦横自在に設置面に設置することができる。
【図面の簡単な説明】
【０００９】
【図１】本発明の実施の形態に係るエネルギー計測装置の分解斜視図である。
【図２】本発明の実施の形態に係るエネルギー計測装置の背面図である。
【図３】本発明の実施の形態に係るエネルギー計測装置を縦向きに設置面に設置する際の正面図である。
【図４】本発明の実施の形態に係るエネルギー計測装置を横向きに設置面に設置する際の正面図である。
【図５】本発明の実施の形態に係るエネルギー計測装置を縦向きに設置面に設置する際の第一配線パターンを示す正面図である。
【図６】本発明の実施の形態に係るエネルギー計測装置を縦向きに設置面に設置する際の第二配線パターンを示す正面図である。
【図７】本発明の実施の形態に係るエネルギー計測装置を横向きに設置面に設置する際の配線パターンを示す正面図である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
エネルギー計測装置（以下、単に装置と称する場合がある）は、分電盤、ガスメーター、水道メーターなどと接続され、それらから得た情報を元に各種使用量を計測し、その結果を有線または無線でＰＣなどのモニタに出力するものである。
【００１１】
実施の形態．
図１は、本発明の実施の形態に係るエネルギー計測装置の分解斜視図である。
本実施の形態に係るエネルギー計測装置は、直方体形状（厳密に直方体でなくてもよい）であり、基板３と、電気品下カバー５と電気品上カバー２とからなる電気品箱と、ブッシング４と、前面意匠パネル１と、筐体６とで構成されている。
【００１２】
基板３は、電子部品が実装され、電気やガスなどのエネルギーを計測する機能を備えている。また、基板３は図示省略のコネクタを有し、駆動用の電力を供給する電源、分電盤から電力使用量を計測するための情報を伝達する電線、ＰＣなどのモニタに出力する情報を伝達する有線ＬＡＮなど（以下、それらをまとめてケーブルと称する）が接続される。
電気品箱は基板３を収納して保護するもので、電気品下カバー５と電気品上カバー２とからなる。電気品下カバー５は、基板３を裏面から保持する樹脂下カバー５ａと、樹脂下カバー５ａを覆う板金下カバー５ｂとで構成され、電気品上カバー２は、基板３を表面から覆い蓋をする樹脂上カバー２ａと、樹脂上カバー２ａを覆う板金上カバー２ｂとで構成されている。
【００１３】
板金上カバー２ｂ及び板金下カバー５ｂは金属製であり、それらで樹脂製の樹脂上カバー２ａ及び樹脂下カバー５ａを覆い、内部発火が外部に漏れないように、または外部発火が内部に侵入しないようにしている。
ブッシング４はゴム製であり、基板３のコネクタに接続するケーブルが板金下カバー５ｂ（または板金上カバー２ｂ）のエッジに触れて損傷しないように、それらエッジを覆いケーブルを保護するものであり、ケーブルを通す穴（引き込み口）が形成され、板金下カバー５ｂの（短手側の）一側面に形成されたＵ字形状のＵ字溝５ｂａに取り付けられてエッジを覆う。なお、ブッシング４は、作業者の指が板金下カバー５ｂ（または板金上カバー２ｂ）のエッジに触れて怪我しないように指を保護する役割も果たす。
【００１４】
前面意匠パネル１は樹脂製であり、電気品箱（板金上カバー２ｂ）の上側に取り付けられ、エネルギー計測装置の前面及び前面側側面の意匠を構成する着脱可能なパネルである。
筐体６は樹脂製であり、電気品箱（板金下カバー５ｂ）の下側に取り付けられ、エネルギー計測装置の背面及び背面側側面の意匠を構成し、また、ネジ受け９を有し、そのネジ受け９を壁面などの設置面に打ち込まれたネジに掛け、エネルギー計測装置を設置面に設置するためのものである。
なお、特許請求の範囲に記載の「意匠面が樹脂製のカバー」は、前面意匠パネル１及び筐体６に相当する。
【００１５】
図２は、本発明の実施の形態に係るエネルギー計測装置の背面図である。（ａ）は、背面スペース部１１を色なしで示した図、（ｂ）は、背面スペース部１１を色付きで示した図である。なお、後述する図５（ｂ）及び図６（ｂ）についても図２（ｂ）と同様に背面スペース部１１を色付きで示している。
筐体６は、ネジ受け９を複数有し（本実施の形態では３つ）、筐体６の短辺側かつ基板３のコネクタに接続するケーブルを通すために形成された開口部１３と反対側にネジ受け９ａが、筐体６の２つの長辺側にネジ受け９ｂ、９ｃがそれぞれ形成されている。ネジ受け９ａは縦掛け用、ネジ受け９ｂ、９ｃは横掛け用であり、ネジ受け９はその底部が大きく開口した三角形状（厳密に三角でなくともよい）であり、中央にはネジの直径と同程度の大きさを有し、ネジに掛けた際にネジと接触する支持部１０が形成されている。
【００１６】
図３は、本発明の実施の形態に係るエネルギー計測装置を縦向きに設置面に設置する際の正面図である。（ａ）はエネルギー計測装置を縦向きに設置面に設置する前の図、（ｂ）はエネルギー計測装置を縦向きに設置面に設置した後の図である。
エネルギー計測装置を縦向きに設置面に設置する際は、図３（ａ）に示すように、まず設置面に対してネジ８を一つ打ち込む。そして、ネジ受け９ａの大きく開口した底部にネジ８を合わせ、そこからずらして支持部１０ａに合わせ込み、ネジ８に掛ける。そうすることで、図３（ｂ）に示すように、エネルギー計測装置を縦向きに設置面に設置することができる。
【００１７】
図４は、本発明の実施の形態に係るエネルギー計測装置を横向きに設置面に設置する際の正面図である。（ａ）はエネルギー計測装置を横向きに設置面に設置する前の図、（ｂ）はエネルギー計測装置を横向きに設置面に設置した後の図である。
エネルギー計測装置を横向きに設置面に設置する際は、図４（ａ）に示すように、まず設置面に対してネジ８を一つ打ち込む。そして、ネジ受け９ｂの開口した底部からずらして支持部１０ａに合わせ込み、ネジ８に掛ける。そうすることで、図４（ｂ）に示すように、エネルギー計測装置を横向きに設置面に設置することができる。
なお、本実施の形態ではネジ受け９ｂをネジ８に掛けたが、ネジ受け９ｃをネジ８に掛けてもエネルギー計測装置を横向きに設置面に設置することができ、ケーブルの位置などに応じて選ぶことができる。
【００１８】
このようにネジ受け９を縦掛け用と横掛け用で両方形成することにより、エネルギー計測装置を縦横自在に設置面に設置することができる。そのため、エネルギー計測装置の設置スペースの都合上、縦向きまたは横向きにしか設置できないような場合にも対応することができる。また、設置スペース的には縦向き及び横向きのどちらも設置できるような場合にも、基板３のコネクタに接続するケーブルの接続元（分電盤など）に筐体６の開口部１３が近くなるように設置できるため、ケーブルの引き回しを少なくすることができる。
また、ネジ受け９は、その底部が大きく開口した三角形状であり、中央には支持部１０が形成されているため、まず大きく開口した底部にネジ８を合わせ、そこからずらしてネジ８を支持部１０に合わせ込むことがきるため、ネジ受け９をネジ８に掛けやすい形状となっている。
【００１９】
本実施の形態ではネジ受け９の数を３つとしたが、それに限定されるものではない。なお、縦掛け用をネジ受け９ａのみとしたのは、筐体６の短辺側かつ基板３のコネクタに接続するケーブルを通すために形成された開口部１３側にネジ受けを形成すると、そのネジ受けをネジ８に掛けて設置されたエネルギー計測装置に対して、ケーブルを上側（の開口部１３）から通すことになる。そうすると、例えばケーブルやその周辺に霜などが付着した場合、ケーブルを伝って水がエネルギー計測装置（内）に垂れてしまう恐れがあるので、そういった事態を防ぐためである。
【００２０】
また、ネジ受け９ａの支持部１０ａが、エネルギー計測装置を水平かつ縦向きに設置面に設置したときに装置の重心の鉛直線上となるように形成され、ネジ受け９ｂ、９ｃの支持部１０ｂ、１０ｃが、エネルギー計測装置を水平かつ横向きに設置面に設置したときに装置の重心の鉛直線上となるように形成されている。
【００２１】
そうすることにより、ネジ受け９を設置面に打ち込まれたネジ８に掛けた際に、エネルギー計測装置が水平かつ縦向きまたは横向きの状態でネジ受け９の支持部１０の回りの力のモーメント（つまり、左右の力のモーメントの和）が０となるため、その状態で静止させることができる。そのため、図３及び図４に示すように、設置面の一箇所にネジ８を打ち込み、一つのネジ受け９をそのネジ８に掛けるだけでエネルギー計測装置を水平かつ縦横自在に設置面に設置することができる。
【００２２】
筐体６は、図２に示すように前面側に凹んだ背面スペース部１１が形成されている。この背面スペース部１１は、エネルギー計測装置を設置面に設置した際に装置の背面と設置面との間にスペースを形成し、基板３のコネクタに接続するケーブルを、そのスペースで引き回せるようにするために形成されたものである。また、筐体６は側面に側面壁１２が設けられており、その側面壁１２の内側には溝１４が複数形成されている。
【００２３】
次に、ケーブルを基板３のコネクタに接続する方法について説明する。
なお、ケーブルを基板３のコネクタに接続する作業までは電気品上カバー２及び前面意匠パネル１を取り外して行い、作業終了後にそれらを取り付けるが、以下この説明を省略する。
設置面に穴を開けられるような場合は、設置面にエネルギー計測装置を設置した際にその開口部１３と対向する位置に穴を開け、そこからケーブルを引き出して筐体６の開口部１３と、板金下カバー５ｂの一側面に取り付けられたブッシング４の穴に通して基板３のコネクタに接続する。
【００２４】
一方、設置面に穴を開けられないような場合は、ケーブルを設置面から開口部１３に直接通すことはできない。そのため、ケーブルの接続元（分電盤など）からエネルギー計測装置内までケーブルを設置面上に這わせてから開口部１３に通す必要がある。その際、ケーブルの接続元（分電盤など）とエネルギー計測装置との位置の関係によっては、ケーブルを設置面上で引き回す必要があるが、設置面でケーブルを引き回すスペースが（あまり）ない場合がある。また、ケーブルを設置面上で引き回すと外部にむき出しとなる部分が長くなるため、その分断線の可能性が高くなる。
そこで、そのような場合はエネルギー計測装置の上下左右のいずれかから装置内にケーブルを引き込み、その後で背面スペース部１１を利用してケーブルを装置の背面で引き回し、開口部１３に通す必要がある。
【００２５】
図５は、本発明の実施の形態に係るエネルギー計測装置を縦向きに設置面に設置する際の第一配線パターンを示す正面図である。（ａ）はエネルギー計測装置の前面図、（ｂ）はエネルギー計測装置の背面図である。
設置スペースの都合上、エネルギー計測装置を縦向きに設置し、ケーブル７の接続元（分電盤など）がその下側に位置している際は、図５に示すようにエネルギー計測装置の下側からケーブル７を装置内に引き込む必要がある。そのためには、ケーブル７を引き込むためのスペースを筐体６の一部に形成しなければならない。
【００２６】
そこで、筐体６の下側の側面壁１２の一部をニッパーなどで切り取り、切り欠き部１５を形成する。筐体６の側面壁１２は樹脂製であるためニッパーなどで切り取ることができる。また、側面壁１２の内側には溝１４が形成されているため、溝１４に沿って切ることで切りやすく、さらには綺麗に切り取ることができるため、意匠性を損なわずに済む。なお、側面壁１２の内側には溝１４が複数形成されているため、溝１４に沿って任意の部分を切り取ることができる。
【００２７】
そして、図５に示すように筐体６の下側の側面壁１２に形成した切り欠き部１５からケーブル７をエネルギー計測装置の背面に引き込み、筐体６の開口部１３と、板金下カバー５ｂの一側面に取り付けられたブッシング４の穴に通して基板３のコネクタに接続する。
【００２８】
図６は、本発明の実施の形態に係るエネルギー計測装置を縦向きに設置面に設置する際の第二配線パターンを示す正面図である。（ａ）はエネルギー計測装置の前面図、（ｂ）はエネルギー計測装置の背面図である。
設置スペースの都合上、エネルギー計測装置を縦向きに設置し、ケーブル７の接続元（分電盤など）がその左側に位置している際は、図６に示すようにエネルギー計測装置の左側からケーブル７を装置内に引き込む必要がある。
そこで、筐体６の左側の側面壁１２の一部をニッパーなどで切り取り、切り欠き部１５を形成する。
そして、図６に示すように筐体６の左側の側面壁１２に形成した切り欠き部１５からケーブル７をエネルギー計測装置の背面に引き込み、背面スペース部１１で引き回し、筐体６の開口部１３と、板金下カバー５ｂの一側面に取り付けられたブッシング４の穴に通して基板３のコネクタに接続する。
【００２９】
図７は、本発明の実施の形態に係るエネルギー計測装置を横向きに設置面に設置する際の配線パターンを示す正面図である。（ａ）はエネルギー計測装置の左側からケーブル７を装置内に引き込んだ際の正面図、（ｂ）はエネルギー計測装置の上側からケーブル７を装置内に引き込んだ際の正面図である。
エネルギー計測装置を横向きに設置面に設置する際も、上述した縦向きに設置面に設置する際と同様の方法で、ケーブル７を基板３のコネクタに接続することができる。
【００３０】
以上のように、設置面に穴を開けられないような場合でも、筐体６の側面壁１２の一部を切り取り、切り欠き部１５を形成することにより、切り欠き部１５からケーブル７をエネルギー計測装置の背面に引き込み、背面スペース部１１で引き回し、筐体６の開口部１３と、板金下カバー５ｂの一側面に取り付けられたブッシング４の穴に通して基板３のコネクタに接続することができる。
また、筐体６の側面壁１２の内側には溝１４が複数形成されているため、溝１４に沿って任意の部分を切ることで切りやすく、さらには綺麗に切り取ることができるため、意匠性を損なわずに済む。
【００３１】
なお、設置面に穴を開けられないような場合は、ケーブル７の接続元（分電盤など）からエネルギー計測装置内までケーブル７を設置面上に這わせることにより、ケーブル７の一部が外部にむき出しとなるが、断線を回避するためケーブル７のむき出し部分をモールなどで覆うとよい。
【符号の説明】
【００３２】
１  前面意匠パネル、２  電気品上カバー、２ａ  樹脂上カバー、２ｂ  板金上カバー、３  基板、４  ブッシング、５  電気品下カバー、５ａ  樹脂下カバー、５ｂ  板金下カバー、５ｂａ  （板金下カバーの）Ｕ字溝、６  筐体、７  ケーブル、８  ネジ、９  ネジ受け、９ａ  （縦掛け用）ネジ受け、９ｂ  （横掛け用）ネジ受け、９ｃ  （横掛け用）ネジ受け、１０  （ネジ受けの）支持部、１０ａ  （縦掛け用ネジ受けの）支持部、１０ｂ  （横掛け用ネジ受けの）支持部、１０ｃ  （横掛け用ネジ受けの）支持部、１１  背面スペース部、１２  側面壁、１３  開口部、１４  溝、１５  切り欠き部。
【図１】
0005995798.tif 000002
【図２】
0005995798.tif 000003
【図３】
0005995798.tif 000004
【図４】
0005995798.tif 000005
【図５】
0005995798.tif 000006
【図６】
0005995798.tif 000007
【図７】
0005995798.tif 000008